(57)【要約】【課題】  利用者の利用パターンに適した学習機能付き給湯装置を提供する。【解決手段】  給湯熱源と、該給湯熱源から給湯される湯を給湯先に導く給湯の通路とを備え、給湯使用量データ蓄積部３８が、１日の整数倍（１以上の整数倍）を周期とする仮の設定周期ごとの時間軸上の各時刻に対する給湯使用量のデータを流量センサから得られる給湯流量の情報と時計機構４１から得られる時刻情報とに基づいて求めて複数蓄積する。真の設定周期設定部４３は、前記蓄積データが全て前記仮の設定周期ごとにパターン化されている場合には仮の設定周期を真の設定周期として設定し、前記蓄積データが仮の設定周期ごとにパターン化されていない場合は複数の蓄積データから給湯使用量がパターン化される時間を求めてこの時間を真の設定周期として設定する。真の設定周期ごとのパターン化された給湯使用量のデータを給湯使用量パターン化データ記憶部４８が記憶する。【選択図】        図１
2005351547.tif 000002
【特許請求の範囲】
【請求項１】
給湯熱源と、該給湯熱源から給湯される湯を給湯先に導く給湯の通路とを備え、１日の整数倍（１以上の整数倍）を周期とする仮の設定周期ごとの時間軸上の各時刻に対する給湯使用量のデータを流量センサから得られる給湯流量の情報と時計機構から得られる時刻情報とに基づいて求めて複数蓄積する給湯使用量データ蓄積部と、該給湯使用量データ蓄積部により蓄積された複数の蓄積データが全て前記仮の設定周期ごとにパターン化されている場合には前記仮の設定周期を真の設定周期として設定し、前記給湯使用量データ蓄積部により蓄積された複数の蓄積データが前記仮の設定周期ごとにパターン化されていない場合は前記複数の蓄積データから給湯使用量がパターン化される時間を求めてこの時間を真の設定周期として設定する真の設定周期設定部と、該真の設定周期設定部で設定した真の設定周期ごとのパターン化された給湯使用量のデータを記憶する給湯使用量パターン化データ記憶部とを有することを特徴とする学習機能付き給湯装置。
【請求項２】
給湯使用量パターン化データ記憶部が記憶した給湯使用量のデータから真の設定周期ごとの浴槽への注湯量のパターン化データを求める浴槽注湯量パターン化データ検出部と、該浴槽注湯量パターン化データ検出部のデータを参照して真の設定周期の時間軸上の浴槽の湯張り開始時刻を求める湯張り開始時刻検出部と、時計機構から得られる時刻情報を取り込んで前記湯張り開始時刻検出部により求めた湯張り開始時刻に給湯熱源から自動的に給湯して浴槽の湯張りを行う自動湯張り実行部とを有することを特徴とする請求項１記載の学習機能付き給湯装置。
【請求項３】
給湯熱源と、該給湯熱源から給湯される湯を浴槽を含む一つ以上の給湯先に導く給湯の通路と、前記浴槽内の水位を検出する水位センサとを有し、１日の整数倍（１以上の整数倍）を周期とする仮の設定周期ごとの時間軸上の各時刻に対する利用者の入浴情報を前記水位センサから得られる浴槽水位の情報と時計機構から得られる時刻情報とに基づいて求めて複数蓄積する入浴情報データ蓄積部と、該入浴情報データ蓄積部により蓄積された複数の蓄積データが全て前記仮の設定周期ごとにパターン化されている場合には前記仮の設定周期を真の設定周期として設定し、前記入浴情報データ蓄積部により蓄積された複数の蓄積データが前記仮の設定周期ごとにパターン化されていない場合は前記複数の蓄積データから入浴情報がパターン化される時間を求めてこの時間を真の設定周期として設定する真の設定周期設定部と、該真の設定周期設定部で設定した真の設定周期ごとのパターン化された入浴情報データを記憶する入浴情報パターン化データ記憶部とを有することを特徴とする学習機能付き給湯装置。
【請求項４】
入浴情報パターン化データ記憶部のデータを参照して真の設定周期の時間軸上の浴槽の湯張り開始時刻を求める湯張り開始時刻検出部と、時計機構から得られる時刻情報を取り込んで前記湯張り開始時刻検出部により求めた湯張り開始時刻に給湯熱源から自動的に給湯して浴槽の湯張りを行う自動湯張り実行部とを有することを特徴とする請求項３記載の学習機能付き給湯装置。
【請求項５】
自動湯張り実行部は、浴槽の湯張りを行うときに湯張り動作実行情報を報知することを特徴とする請求項２または請求項４記載の学習機能付き給湯装置。
【請求項６】
自動湯張り動作をキャンセルする自動湯張りキャンセル操作部を有し、自動湯張り実行部による自動湯張り実行情報の報知時に前記自動湯張りキャンセル操作部の操作が行われたときには、浴槽注湯量パターン化データ検出部のデータまたは入浴情報パターン化データ記憶部のデータを参照して求めた湯張り開始時刻の自動湯張り動作を行わないことを特徴とする請求項５記載の学習機能付き給湯装置。
【請求項７】
自動湯張り動作を承認して実行させる自動湯張り実行操作部を有し、自動湯張り実行部による自動湯張り実行情報の報知時に前記自動湯張り実行操作部の操作が行われたときにのみ、浴槽注湯量パターン化データ検出部のデータまたは入浴情報パターン化データ記憶部のデータを参照して求めた湯張り開始時刻に自動湯張り動作を行うことを特徴とする請求項５または請求項６記載の学習機能付き給湯装置。
【請求項８】
発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とが併設されており、コジェネレーション給湯熱源装置の稼働状況の蓄熱量検出に関するモニタ情報に基づき貯湯槽内の湯の蓄熱量に対応する値を求める蓄熱量検出部と、該蓄熱量検出部により検出した値と予め与えられた給湯熱源切替え制御情報とに基づいて、前記コジェネレーション給湯熱源装置の貯湯槽を給湯熱源とする給湯動作と前記補助給湯熱源装置を給湯熱源とする給湯動作の制御を行う制御装置を有することを特徴とする請求項１乃至請求項７のいずれか一つに記載の学習機能付き給湯装置。
【請求項９】
コジェネレーション給湯熱源装置の貯湯槽は、該貯湯槽内に給水を導入する給水路と貯湯槽の湯を送水する給湯路を備え、貯湯槽と発電装置との間には該発電装置の排熱または前記発電装置の排熱吸収流体の熱を利用して貯湯槽内の水を加熱して湯にする手段が配備され、該手段によって形成された湯を貯湯槽に蓄積し、この貯湯槽の湯を前記給湯路を通して給湯先に供給する構成と成していることを特徴とする請求項８記載の学習機能付き給湯装置。
【請求項１０】
コジェネレーション給湯熱源装置の貯湯槽から送水される給湯の通路は補助給湯熱源装置の給水導入口に連通され、前記貯湯槽の湯のみを熱源として給湯を行うときは、貯湯槽の湯を非加熱駆動状態の補助給湯熱源装置を経由して給湯先へ給湯する構成と成したことを特徴とする請求項８又は請求項９記載の学習機能付き給湯装置。
【請求項１１】
発電装置は水素と酸素を反応させて電気を発生する燃料電池とした請求項８乃至請求項１０のいずれか１つに記載の学習機能付き給湯装置。
【請求項１２】
発電装置はガスエンジンとした請求項８乃至請求項１０のいずれか１つに記載の学習機能付き給湯装置。
【発明の詳細な説明】
【技術分野】
【０００１】
本発明は、例えば給湯の流量や浴槽の水位を検出して利用者情報を学習し、学習データを利用した運転制御を行う学習機能付き給湯装置に関するものである。
【背景技術】
【０００２】
例えば１日や１週間といった予め定めた設定周期の、時間軸上の各時刻に対する給湯利用パターンを学習記憶し、給湯装置の運転制御を行う際に、この学習記憶データを利用するタイプの学習機能付き給湯装置が用いられている（例えば、特許文献１参照。）。
【０００３】
【特許文献１】特許登録第３２９７５４３号公報
【発明の開示】
【発明が解決しようとする課題】
【０００４】
しかしながら、給湯装置の利用者の生活パターンは多種多様であり、例えば消防署や救急病院の職員のように、事件や事故等に備えて、勤務先に、２４時間常に誰かしらが常駐しなければならない業務に就いている勤務者は、勤務交代によって、日勤、夜勤、非番の３日周期で生活を送っている。このような勤務者が給湯装置の利用者である場合、上記のように１日周期や１週間周期の時間軸上の各時刻に対する給湯利用パターンを学習記憶して、この学習データを利用した運転制御を行うと、最適な運転制御が行えないといった問題があった。
【０００５】
本発明は、上記課題を解決するために成されたものであり、その目的は、給湯使用量や浴槽の使用時刻等が一般的な周期ごとにパターン化されない場合でも快適に給湯や浴槽の使用を行えるようにできる学習機能付き給湯装置を提供することにある。
【課題を解決するための手段】
【０００６】
上記目的を達成するために、本発明は次のような構成をもって課題を解決するための手段としている。すなわち、第１の発明は、給湯熱源と、該給湯熱源から給湯される湯を給湯先に導く給湯の通路とを備え、１日の整数倍（１以上の整数倍）を周期とする仮の設定周期ごとの時間軸上の各時刻に対する給湯使用量のデータを流量センサから得られる給湯流量の情報と時計機構から得られる時刻情報とに基づいて求めて複数蓄積する給湯使用量データ蓄積部と、該給湯使用量データ蓄積部により蓄積された複数の蓄積データが全て前記仮の設定周期ごとにパターン化されている場合には前記仮の設定周期を真の設定周期として設定し、前記給湯使用量データ蓄積部により蓄積された複数の蓄積データが前記仮の設定周期ごとにパターン化されていない場合は前記複数の蓄積データから給湯使用量がパターン化される時間を求めてこの時間を真の設定周期として設定する真の設定周期設定部と、該真の設定周期設定部で設定した真の設定周期ごとのパターン化された給湯使用量のデータを記憶する給湯使用量パターン化データ記憶部とを有する構成をもって課題を解決する手段としている。
【０００７】
また、第２の発明は、上記第１の発明の構成に加え、前記給湯使用量パターン化データ記憶部が記憶した給湯使用量のデータから真の設定周期ごとの浴槽への注湯量のパターン化データを求める浴槽注湯量パターン化データ検出部と、該浴槽注湯量パターン化データ検出部のデータを参照して真の設定周期の時間軸上の浴槽の湯張り開始時刻を求める湯張り開始時刻検出部と、時計機構から得られる時刻情報を取り込んで前記湯張り開始時刻検出部により求めた湯張り開始時刻に給湯熱源から自動的に給湯して浴槽の湯張りを行う自動湯張り実行部とを有する構成をもって課題を解決する手段としている。
【０００８】
さらに、第３の発明は、給湯熱源と、該給湯熱源から給湯される湯を浴槽を含む一つ以上の給湯先に導く給湯の通路と、前記浴槽内の水位を検出する水位センサとを有し、１日の整数倍（１以上の整数倍）を周期とする仮の設定周期ごとの時間軸上の各時刻に対する利用者の入浴情報を前記水位センサから得られる浴槽水位の情報と時計機構から得られる時刻情報とに基づいて求めて複数蓄積する入浴情報データ蓄積部と、該入浴情報データ蓄積部により蓄積された複数の蓄積データが全て前記仮の設定周期ごとにパターン化されている場合には前記仮の設定周期を真の設定周期として設定し、前記入浴情報データ蓄積部により蓄積された複数の蓄積データが前記仮の設定周期ごとにパターン化されていない場合は前記複数の蓄積データから入浴情報がパターン化される時間を求めてこの時間を真の設定周期として設定する真の設定周期設定部と、該真の設定周期設定部で設定した真の設定周期ごとのパターン化された入浴情報データを記憶する入浴情報パターン化データ記憶部とを有する構成をもって課題を解決する手段としている。
【０００９】
さらに、第４の発明は、上記第３の発明の構成に加え、前記入浴情報パターン化データ記憶部のデータを参照して真の設定周期の時間軸上の浴槽の湯張り開始時刻を求める湯張り開始時刻検出部と、時計機構から得られる時刻情報を取り込んで前記湯張り開始時刻検出部により求めた湯張り開始時刻に給湯熱源から自動的に給湯して浴槽の湯張りを行う自動湯張り実行部とを有する構成をもって課題を解決する手段としている。
【００１０】
さらに、第５の発明は、上記第２または第４の発明の構成に加え、前記自動湯張り実行部は、浴槽の湯張りを行うときに湯張り動作実行情報を報知する構成をもって課題を解決する手段としている。
【００１１】
さらに、第６の発明は、上記第５の発明の構成に加え、前記自動湯張り動作をキャンセルする自動湯張りキャンセル操作部を有し、自動湯張り実行部による自動湯張り実行情報の報知時に前記自動湯張りキャンセル操作部の操作が行われたときには、浴槽注湯量パターン化データ検出部のデータまたは入浴情報パターン化データ記憶部のデータを参照して求めた湯張り開始時刻の自動湯張り動作を行わない構成をもって課題を解決する手段としている。
【００１２】
さらに、第７の発明は、上記第５または第６の発明の構成に加え、自動湯張り動作を承認して実行させる自動湯張り実行操作部を有し、自動湯張り実行部による自動湯張り実行情報の報知時に前記自動湯張り実行操作部の操作が行われたときにのみ、浴槽注湯量パターン化データ検出部のデータまたは入浴情報パターン化データ記憶部のデータを参照して求めた湯張り開始時刻に自動湯張り動作を行う構成をもって課題を解決する手段としている。
【００１３】
さらに、第８の発明は、上記第１乃至第７のいずれか一つの発明の構成に加え、発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とが併設されており、コジェネレーション給湯熱源装置の稼働状況の蓄熱量検出に関するモニタ情報に基づき貯湯槽内の湯の蓄熱量に対応する値を求める蓄熱量検出部と、該蓄熱量検出部により検出した値と予め与えられた給湯熱源切替え制御情報とに基づいて、前記コジェネレーション給湯熱源装置の貯湯槽を給湯熱源とする給湯動作と前記補助給湯熱源装置を給湯熱源とする給湯動作の制御を行う制御装置を有する構成をもって課題を解決する手段としている。
【００１４】
さらに、第９の発明は、上記第８の発明の構成に加え、前記コジェネレーション給湯熱源装置の貯湯槽は、該貯湯槽内に給水を導入する給水路と貯湯槽の湯を送水する給湯路を備え、貯湯槽と発電装置との間には該発電装置の排熱または前記発電装置の排熱吸収流体の熱を利用して貯湯槽内の水を加熱して湯にする手段が配備され、該手段によって形成された湯を貯湯槽に蓄積し、この貯湯槽の湯を前記給湯路を通して給湯先に供給する構成と成している構成をもって課題を解決する手段としている。
【００１５】
さらに、第１０の発明は、上記第８または第９の発明の構成に加え、前記コジェネレーション給湯熱源装置の貯湯槽から送水される給湯の通路は補助給湯熱源装置の給水導入口に連通され、前記貯湯槽の湯のみを熱源として給湯を行うときは、貯湯槽の湯を非加熱駆動状態の補助給湯熱源装置を経由して給湯先へ給湯する構成と成したことを特徴としている。
【００１６】
さらに、第１１の発明は、上記第８乃至第１０のいずれか一つの発明の構成に加え、前記発電装置は水素と酸素を反応させて電気を発生する燃料電池とした構成をもって課題を解決する手段としている。
【００１７】
さらに、第１２の発明は、上記第８乃至第１０のいずれか一つの発明の構成に加え、前記発電装置はガスエンジンとした構成をもって課題を解決する手段としている。
【発明の効果】
【００１８】
本発明において、給湯熱源と、該給湯熱源から給湯される湯を給湯先に導く給湯の通路とを備え、１日の整数倍（１以上の整数倍）を周期とする仮の設定周期ごとの時間軸上の各時刻に対する給湯使用量のデータを蓄積し、この複数の蓄積データが前記仮の設定周期ごとにパターン化されていない場合は前記複数の蓄積データから給湯使用量がパターン化される時間を求めてこの時間を真の設定周期として設定する構成によれば、設定した真の設定周期ごとのパターン化された給湯使用量のデータを記憶することにより、利用者に対応した適切な給湯使用量のデータを記憶でき、この記憶データを利用した最適な給湯運転を行うことができる。
【００１９】
また、この発明において、給湯使用量パターン化データ記憶部が記憶した給湯使用量のデータから真の設定周期ごとの浴槽への注湯量のパターン化データを求め、このパターン化データを参照して真の設定周期の時間軸上の浴槽の湯張り開始時刻を求め、求めた湯張り開始時刻に給湯熱源から自動的に給湯して浴槽の湯張りを行う構成によれば、利用者に適した時刻に自動的に湯張りを行うことができ、非常に利用しやすい給湯装置を実現できる。
【００２０】
さらに、本発明において、給湯熱源と、該給湯熱源から給湯される湯を浴槽を含む一つ以上の給湯先に導く給湯の通路と、前記浴槽内の水位を検出する水位センサとを有し、１日の整数倍（１以上の整数倍）を周期とする仮の設定周期ごとの時間軸上の各時刻に対する利用者の入浴情報を前記水位センサから得られる浴槽水位の情報と時計機構から得られる時刻情報とに基づいて求めて複数蓄積し、この仮の設定周期ごとにパターン化されていない場合は前記複数の蓄積データから入浴情報がパターン化される時間を求めてこの時間を真の設定周期として設定する構成によれば、設定した真の設定周期ごとのパターン化された入浴情報データを記憶するので、利用者に対応した適切な入浴情報のデータを記憶でき、この記憶データを利用した最適な湯張り等の運転を行うことができる。
【００２１】
また、この発明において、入浴情報パターン化データ記憶部のデータを参照して真の設定周期の時間軸上の浴槽の湯張り開始時刻を求め、求めた湯張り開始時刻に給湯熱源から自動的に給湯して浴槽の湯張りを行う構成によれば、利用者に適した時刻に自動的に湯張りを行うことができ、非常に利用しやすい給湯装置を実現できる。
【００２２】
さらに、本発明において、自動湯張り実行部は、浴槽の湯張りを行うときに湯張り動作実行情報を報知する構成によれば、自動湯張り実行部による湯張りが行われることを報知できるので、利用者がその旨、把握することができ、必要に応じて、その湯張り動作をキャンセルする等の動作を適宜行うことができ、より一層使い勝手の良い給湯装置を実現できる。
【００２３】
例えば、本発明において、自動湯張り動作をキャンセルする自動湯張りキャンセル操作部を有し、自動湯張り実行部による自動湯張り実行情報の報知時に前記自動湯張りキャンセル操作部の操作が行われたときには、浴槽注湯量パターン化データ検出部のデータまたは入浴情報パターン化データ記憶部のデータを参照して求めた湯張り開始時刻の自動湯張り動作を行わない構成によれば、利用者が通常と異なる使用パターンで使用したいときに、学習により求めた湯張り開始時刻での自動湯張り動作をキャンセルできるので、便利である。
【００２４】
また、本発明において、自動湯張り動作を承認して実行させる自動湯張り実行操作部を有し、自動湯張り実行部による自動湯張り実行情報の報知時に前記自動湯張り実行操作部の操作が行われたときにのみ、浴槽注湯量パターン化データ検出部のデータまたは入浴情報パターン化データ記憶部のデータを参照して求めた湯張り開始時刻に自動湯張り動作を行う構成によれば、利用者が、自動湯張り動作を承認してから実行させるので、利用者が通常の使用パターンで使用したいときにも、その確認を行って湯張りを実行できるし、利用者が通常と異なる使用パターンで使用したいときには実行を行わないようにでき、臨機応変の対応をとれる。
【００２５】
さらに、本発明において、発電装置の排熱を利用して貯湯槽に蓄積した湯を浴槽を含む１つ以上の給湯先に給湯するコジェネレーション給湯熱源装置と、通水の水を加熱して作成した湯を浴槽を含む１つ以上の給湯先に供給する機能を備えた補助給湯熱源装置とを併設して、これらを給湯熱源とし、制御装置によって、前記コジェネレーション給湯熱源装置の貯湯槽を給湯熱源とする給湯動作と前記補助給湯熱源装置を給湯熱源とする給湯動作の制御を行う構成によれば、コジェネレーション給湯熱源装置を給湯熱源とする給湯動作を行えることで省エネルギー化が可能な給湯装置を実現できる。
【００２６】
さらに、本発明において、コジェネレーション給湯熱源装置と補助給湯熱源装置を有して、コジェネレーション給湯熱源装置の貯湯槽と発電装置との間に配備された手段によって形成された湯を貯湯槽に蓄積し、この貯湯槽の湯を、貯湯槽に備えられた給湯路を通して給湯先に供給する構成によれば、コジェネレーション給湯熱源装置による湯の蓄積と、貯湯槽からの湯の給湯とを効率的に行うことができる。
【００２７】
さらに、本発明において、コジェネレーション給湯熱源装置の貯湯槽から送水される給湯の通路は補助給湯熱源装置の給水導入口に連通され、前記貯湯槽の湯のみを熱源として給湯を行うときは、貯湯槽の湯を非加熱駆動状態の補助給湯熱源装置を経由して給湯先へ給湯する構成によれば、コジェネレーション給湯熱源装置の貯湯槽から送水される給湯の通路と補助給湯熱源装置の給水導入口とを連通させることによりシステム構成を簡単にでき、効率的に給湯を行うことができる。
【００２８】
さらに、本発明において、コジェネレーション給湯熱源装置の発電装置は水素と酸素を反応させて電気を発生する燃料電池とした構成によれば、発電装置を燃料電池とすることによって、環境に悪影響を与える物質を排出することなく、コジェネレーション給湯熱源装置を運転できるので、環境に優しい複合的な給湯装置を構築することができる。
【発明を実施するための最良の形態】
【００２９】
以下、本発明の実施の形態を、図面を参照して説明する。
【００３０】
図２には、本発明に係る給湯装置の一実施形態例のシステム構成が示されており、図１には、その制御構成が示されている。図２に示すように、本実施形態例は、発電装置１の排熱を利用して貯湯槽２に蓄積した湯を給湯先に給湯するコジェネレーション給湯熱源装置３と、通水の水を加熱して作成した湯を給湯先に供給する補助給湯熱源装置４とを併設した複合的な給湯装置であり、後述する学習機能を有している。
【００３１】
本実施形態例で適用している発電装置１は、例えば固体高分子型燃料電池（ＰＥＦＣ）等の燃料電池により形成されており、水の電気分解の逆反応で、都市ガス等の燃料から取り出された水素２Ｈ＋と空気中の酸素（１／２）Ｏ２とを反応させて発電する装置である。
【００３２】
コジェネレーション給湯熱源装置３を有するシステムは、省エネルギー効果を奏することが可能なシステムとして注目されており、本実施形態例では、特に、発電装置１を燃料電池により形成することによって、環境に悪影響を与える物質を排出することなく、コジェネレーション給湯熱源装置３を運転でき、環境に優しい給湯装置を構築することができる。
【００３３】
貯湯槽２は、貯湯槽２内に給水を導入する給水路１１と貯湯槽２の湯を送水する給湯路１２を備えており、給湯路１２には湯水温検出センサ１００が設けられている。貯湯槽２と発電装置１との間には、冷却水導入通路１３と排熱湯導入通路１４とが配備されており、冷却水導入通路１３は貯湯槽２内の水を発電装置１の冷却水として発電装置１側に導入し、この水を発電装置１の発電時に生じる排熱によって加熱して、例えば６０℃といった温度の湯とし、排熱湯導入通路１４を介して貯湯槽２に蓄積する。つまり、冷却水導入通路１３と排熱湯導入通路１４は、貯湯槽２内の水を発電装置１の排熱により加熱して湯にする手段を形成している。
【００３４】
本実施形態例において、貯湯槽２の容量は例えば２００Ｌであり、貯湯槽２には、互いに間隔を介して貯湯槽内湯水温検出センサ１０１〜１１１が設けられている。貯湯槽２の下方側には、貯湯槽２内の水を排水する排水通路１５が設けられ、該排水通路１５には排水弁５２が設けられている。貯湯槽２の上方側には、圧力逃がし通路１６が設けられており、圧力逃がし通路１６には、過圧逃がし弁５０が設けられている。貯湯槽２内は、通常、湯または水によって満たされている。
【００３５】
本実施形態例で適用されているコジェネレーション給湯熱源装置３において、発電装置１が作動すると、貯湯槽２の下部側に貯められている水が冷却水導入通路１３を通して発電装置１に導入され、発電装置１の発電時の排熱によって暖められて湯とされ、この湯が排熱湯導入通路１４を通って貯湯槽２の上方側から貯湯槽２内に導入され、貯湯槽２の上部側には湯が蓄積されている。なお、図７には、湯と水との境界領域を分かりやすくするために、湯が充填されている領域を斜線で示した図が示されている。
【００３６】
上記湯の蓄積動作が繰り返されると、貯湯槽２の下部側の水が発電装置１の排熱によって湯にされて貯湯槽２の上部側に導入されるので、図７の破線Ａで示す、貯湯槽２内の水と湯との境界線が貯湯槽２の下部側に移動していく。なお、貯湯槽２内が全て湯で満たされると、発電装置１への冷却水導入を行うことができないので、発電装置１による発電は行えない。
【００３７】
また、貯湯槽２の湯が給湯路１２を通して適宜の給湯場所に送水されると、この送水によって減少した湯量だけ、給水路１１から貯湯槽２内に給水が行われるので、この場合、図７の破線Ａで示す、貯湯槽２内の水と湯との境界線は貯湯槽２の上部側に移動していく。
【００３８】
図２に示すように、本実施形態例では、コジェネレーション給湯熱源装置３と補助給湯熱源装置４とは、湯水混合ユニット１０と接続通路４５を介して接続されており、コジェネレーション給湯熱源装置３の給湯路１２の出口側には、給湯路１２から送水される湯の流量を検出する流量センサ７０が設けられている。また、湯水混合ユニット１０には給水路１１の分岐通路１１ｂが接続されている。給水路１１には給水温度センサ１１２が設けられている。
【００３９】
湯水混合ユニット１０は、前記給湯路１２の開閉を行う湯水開閉弁５４と、給湯路１２から送水される湯の流量を弁開度によって可変制御する湯水比例弁５５と、給水路１１から給水される水の流量を弁開度によって可変制御する湯水比例弁５６と、接続通路４５の入り口側に設けられた流量センサ７１とを有している。湯水開閉弁５４は電磁弁、湯水比例弁５５，５６は、いずれもギアモータにより形成されている。給湯路１２の出口側には湯水温検出センサ１２０が設けられ、接続通路４５の入口側には、湯水温検出センサ１１８が設けられている。
【００４０】
補助給湯熱源装置４は、通水の水を加熱して作成した湯を浴槽１２６を含む１つ以上の給湯先に供給する機能を備えた装置であり、給湯器５（５ａ，５ｂ）を有して形成されている。給湯器５（５ａ，５ｂ）は、それぞれ燃焼室２３，２４を有している。給湯器５ａの燃焼室２３内には、バーナ６と、バーナ６の燃焼の給排気を行なう燃焼ファン８と、バーナ６の燃焼により加熱される給湯熱交換器１９とが設けられている。また、給湯器５ｂの燃焼室２４内には、バーナ７と、バーナ７の燃焼の給排気を行なう燃焼ファン９と、バーナ７の燃焼により加熱される追い焚き熱交換器２５とが設けられている。
【００４１】
バーナ６，７には、それぞれのバーナ６，７に燃料を供給するガス管２１，２２が接続されており、これらのガス管２１，２２は、ガス管２０から分岐形成されている。ガス管２０には、ガス開閉弁８０が介設されており、ガス管２１には、ガス比例弁８６とガス開閉弁８１，８２，８３が、ガス管２２には、ガス比例弁８７とガス開閉弁８４，８５がそれぞれ介設されている。これらの弁８０〜８７はいずれも電磁弁により形成されており、ガス開閉弁８０〜８５は、対応するバーナ６，７への燃料供給・停止を制御し、ガス比例弁８６，８７は、対応するバーナ６，７への供給燃料量を弁開度でもって制御する。
【００４２】
前記給湯熱交換器１９の入口側には給水導入通路１８が設けられており、この給水導入通路１８は前記接続通路４５に接続されている。給水導入通路１８の入り口側には、給水導入通路１８を流れる湯水の量を検出する流量センサ７３が設けられている。
【００４３】
給湯熱交換器１９の出口側には給湯通路２６が設けられており、給湯通路２６の先端側は、分岐通路９０と湯水経路切替弁５８を介して前記給水導入通路１８に接続されている。給湯通路２６には、分岐通路９０の分岐部よりも下流側に出湯湯温検出センサ１１３が設けられ、給湯熱交換器１９側に出湯湯温検出センサ１１４が設けられている。なお、前記給湯熱交換器１９の途中部には過熱防止装置（サーモスタット）１１５が設けられている。
【００４４】
前記追い焚き熱交換器２５の一端側には往管９１の一端側が接続され、往管９１の他端側は循環金具９７を介して浴槽１２６に連通接続されている。また、追い焚き熱交換器２５の他端側には通路９３が接続され、通路９３の他端側は循環ポンプ９４の吐出口に接続されている。循環ポンプ９４の吸入口には戻り管９６の一端側が接続され、戻り管９６の他端側は前記循環金具９７を介して浴槽１２６に連通接続されている。戻り管９６には浴槽湯水温検出センサ１２７が設けられている。
【００４５】
往管９１と追い焚き熱交換器２５と通路９３と循環ポンプ９４と戻り管９６とによって、浴槽１２６の湯水を循環ポンプ９４の駆動により循環させて浴槽内の湯水を追い焚きするための追い焚き循環通路９９が形成されている。
【００４６】
また、前記給湯通路２６には、分岐通路９０の形成部および出湯湯温検出センサ１１３の配設部よりも下流側に、風呂用注湯導入通路９５が接続され、風呂用注湯導入通路９５は、前記通路９３に接続されている。風呂用注湯導入通路９５には、水圧により浴槽１２６の水位を検出する水位センサ１２５が設けられている。前記給湯熱交換器１９から給湯通路２６と風呂用注湯導入通路９５、通路９３、追い焚き熱交換器２５、往管９１を順に通って浴槽１２６に至るまでの通路によって湯張り通路が構成されている。
【００４７】
なお、図２においては、給湯先として、台所等の給湯場所と浴槽１２６を示しているが、浴室のシャワー等の適宜の給湯先に湯を供給する、様々な態様の給湯装置を構成できる。
【００４８】
本実施形態例のシステム構成は以上のように構成されており、次に、図１に示す制御装置４４の制御構成について説明する。制御装置４４は、蓄熱量検出部３５、選択制御部３６、燃焼制御部４２、時計機構４１、入浴情報データ蓄積部３７、給湯使用量データ蓄積部３８、入浴情報パターン化データ記憶部４７、真の設定周期設定部４３、給湯使用量パターン化データ記憶部４８、浴槽注湯量パターン化データ検出部４９、自動湯張り実行部４０、湯張り開始時刻検出部３９を有している。
【００４９】
蓄熱量検出部３５は、コジェネレーション給湯熱源装置３の稼働状況の蓄熱量検出に関するモニタ情報に基づき、貯湯槽２内の湯の蓄熱量に対応する値を求めるものである。前記モニタ情報は、例えば貯湯槽内湯水温検出センサ１０１〜１１１による検出温度の情報や、発電装置１の稼働時間の情報等である。発電装置１の稼働時間は、例えば発電装置１のオンオフ情報と時計機構４１から得られる時間情報とにより得ることができる。なお、排熱湯導入通路１４に流量センサを設ければ、この流量センサの情報から発電装置１の稼働時間の情報を得ることもできる。
【００５０】
ここで、貯湯槽２内の湯の蓄熱量に対応する値の求め方の一例を示す。蓄熱量検出部３５は、例えば前記モニタ情報として、貯湯槽内湯水温検出センサ１０１〜１１１による検出温度の情報を取り込み、貯湯槽内湯水温検出センサ１０５による検出温度が約６０℃であり、貯湯槽内湯水温検出センサ１０６による検出温度が約２０℃であるとすると、図７の破線Ａで示したような、貯湯槽２内の水と湯との境界線が貯湯槽内湯水温検出センサ１０５と貯湯槽内湯水温検出センサ１０６との間にあり、貯湯槽２内には、約６０℃の湯が約８０Ｌ蓄積されていると判断する。
【００５１】
また、蓄熱量検出部３５に、発電装置１の稼働による単位時間ごとの湯の蓄積量を予め与えておき、この量が、例えば毎分２Ｌだとすると、時計機構４１から得られる発電装置１の時間情報が３０分経過したときに、蓄熱量検出部３５は、貯湯槽２内には、約６０℃の湯が６０Ｌ蓄積されていると判断する。このように、蓄熱量検出部３５は、時計機構４１から得られる発電装置１の稼働時間情報に基づき、貯湯槽２内の湯量を時々刻々と検出することができる。
【００５２】
さらに、蓄熱量検出部３５は、貯湯槽２内の湯の使用量を、例えば流量センサ７０の検出データから算出し、この値を貯湯槽２内に蓄積されている湯量から差し引くことにより、貯湯槽２内に残っている湯量を時々刻々と検出することができるし、湯の蓄積時からの経過時間によって貯湯槽２内に蓄積されている湯の温度を推定することができる。
【００５３】
選択制御部３６は、給湯熱源の選択制御部であり、例えば前記蓄熱量検出部３５により求められた蓄熱量に対応する値が熱源選択用に予め定めた下部しきい値以下に低下したときは、給湯熱源を前記貯湯槽２から補助給湯熱源装置４へ切替えて給湯を行い、蓄熱量検出部３５により求められた貯湯槽２内の湯の蓄熱量に対応する値が熱源選択用に予め定めた上部しきい値以上に上昇したときは、給湯熱源を前記補助給湯熱源装置４からコジェネレーション給湯熱源装置３の貯湯槽２へ切替えて給湯を行う。なお、選択制御部３６による給湯熱源の選択制御は、特に限定されるものでなく、適宜設定されるものである。
【００５４】
本実施形態例においては、コジェネレーション給湯熱源装置３の貯湯槽２から送水される給湯の通路（給湯路１２）は補助給湯熱源装置４の給水導入口に連通されており、前記貯湯槽２の湯のみを熱源として貯湯槽２内から設定温度以上の湯を送水する時は、貯湯槽２の湯を非加熱駆動状態の補助給湯熱源装置４を経由して給湯先へ給湯する構成と成している。
【００５５】
つまり、貯湯槽２の湯を熱源として給湯を行うときは、選択制御部３６は、湯水開閉弁５４を開き、湯水比例弁５５、５６の開弁量を適宜調節して、貯湯槽２内の湯を、給水通路１１からその分岐通路１１ｂを介して給水される水と混合して設定温度の湯として非加熱駆動状態の補助給湯熱源装置４に送る。そして、例えば補助給湯熱源装置４に導入された設定温度の湯を、湯水経路切替弁５８を切替えて分岐通路９０を通して台所等の適宜の給湯先へ給湯したり、湯水開閉弁５９を開き、風呂用注湯導入通路９５と前記湯張り通路を通して湯張りを行ったりする。
【００５６】
また、選択制御部３６は、給湯熱源を補助給湯熱源装置４に切り替えたときは、例えば湯水開閉弁５４を閉じ、給水路１１から分岐通路１１ｂを介して湯水混合ユニット１０に導入される水を、接続通路４５を介して給湯器５ａに導入すると共に、給湯器５ａの燃焼制御部４２に指令を与え、給湯器５ａを稼働させて補助給湯熱源装置４による給湯を行う。
【００５７】
燃焼制御部４２は、前記選択制御部３６が補助給湯熱源装置４からの給湯動作を選択したときには、流量センサ７３の検出流量を参照しながら、ガス開閉弁８１，８２，８３の少なくとも一つを開き、ガス比例弁８６の開弁量を調節してバーナ６に供給されるガス量を調節すると共に、燃焼ファン８の風量調節を行い、給湯熱交換器１９を通って出湯される湯が設定温度の湯となるようにバーナ６の燃焼制御を行う。
【００５８】
給湯使用量データ蓄積部３８は、１日の整数倍（１以上の整数倍）を周期とする仮の設定周期（例えば１日）ごとの時間軸上の各時刻に対する給湯使用量のデータを流量センサ７３から得られる給湯流量の情報と時計機構４１から得られる時刻情報とに基づいて求めて複数（例えば１ヶ月分といった予め与えられた数だけ）蓄積する。蓄積データ例を図３（ａ）、（ｂ）に模式的に示す。なお、図３において、給湯使用量をＬで示している。
【００５９】
真の設定周期設定部４３は、給湯使用量データ蓄積部３８により蓄積された複数の蓄積データが全て前記仮の設定周期ごとにパターン化されている場合には前記仮の設定周期を真の設定周期として設定し、前記給湯使用量データ蓄積部により蓄積された複数の蓄積データが前記仮の設定周期ごとにパターン化されていない場合は前記複数の蓄積データから給湯使用量がパターン化される時間を求めてこの時間を真の設定周期として設定する。
【００６０】
真の設定周期設定部４３は、例えば図３（ａ）に示すように、給湯使用量データ蓄積部３８により蓄積された複数の蓄積データが、全てほぼ同じパターンであれば、前記仮の設定周期、例えば１日を真の設定周期として設定する。
【００６１】
一方、真の設定周期設定部４３は、例えば図３（ｂ）に示すように、給湯使用量データ蓄積部３８により蓄積された複数の蓄積データが前記仮の設定周期ごとにパターン化されていない場合は、前記複数の蓄積データから給湯使用量がパターン化される時間を求めてこの時間を真の設定周期として設定する。図３（ｂ）の場合、蓄積データを３つずつ一つにまとめると、図４に示すようにパターン化することができるので、真の設定周期は、仮の設定周期の３倍、すなわち、３日とすればよいことが分かるので、真の設定周期を３日とする。
【００６２】
真の設定周期設定部４３は、上記のようにして求めた真の設定周期情報を給湯使用量パターン化データ記憶部４８に加える。給湯使用量パターン化データ記憶部４８は、真の設定周期設定部４３で設定した真の設定周期ごとのパターン化された給湯使用量のデータを記憶する。
【００６３】
浴槽注湯量パターン化データ検出部４９は、パターン化データ記憶部４８が記憶した給湯使用量のデータから真の設定周期ごとの浴槽への注湯量のパターン化データを求める。例えば、浴槽注湯量パターン化データ検出部４９に予め浴槽１２６の容量のデータを与えておき、浴槽注湯量パターン化データ検出部４９が、このデータと、前記給湯使用量パターン化データ記憶部４８が記憶した給湯使用量のデータとを比較することにより、浴槽１２６の容量の５分の４の給湯量が一度に使用されているところが、浴槽１２６への注湯を行うところであると判断することができる。
【００６４】
本実施形態例では、上記のようにして利用者の浴槽１２６への注湯のタイミングを判断することができると共に、前記水位センサ１２５の検出情報に基づき、利用者の入浴情報を検出することができる。
【００６５】
つまり、従来、前記水位センサ１２５は、例えば給湯熱源から給湯通路を通して自動的に湯張りする際の湯張り水位の判定に用いられてきたが、入浴する人の大きさ（体積）に応じて水位変動が生じるので、水位センサ１２５から得られる浴槽水位の情報を、予め与えた浴槽水位変動量参照データと比較することにより、利用者の入浴情報、つまり、例えば「○時×分頃にはＡさんが入浴し、その２０分後にはＢさんが入浴する。」といった情報や、「×時○分頃には、Ｃさん（大人）とＤさん（子供）が一緒に入浴する。」といった情報を検出することができる。
【００６６】
入浴情報データ蓄積部３７は、１日の整数倍（１以上の整数倍）を周期とする仮の設定周期ごとの時間軸上の各時刻に対する、上記のような利用者の入浴情報を、前記水位センサ１２５から得られる浴槽水位の情報と時計機構４１から得られる時刻情報とに基づいて推定して学習記憶し、そのデータを複数蓄積する。
【００６７】
この蓄積データを参照し、前記真の設定周期設定部４３は、入浴情報データ蓄積部３７により蓄積された複数の蓄積データが全て前記仮の設定周期ごとにパターン化されている場合には、前記仮の設定周期を真の設定周期として設定し、前記入浴情報データ蓄積部３７により蓄積された複数の蓄積データが前記仮の設定周期ごとにパターン化されていない場合は、前記複数の蓄積データから入浴情報がパターン化される時間を求めてこの時間を真の設定周期として設定し、この真の設定周期情報を、入浴情報パターン化データ記憶部４７に加える。なお、この真の設定周期設定方法は、給湯使用量の真の設定周期設定方法と同様である。
【００６８】
入浴情報パターン化データ記憶部４７は、真の設定周期設定部４３で設定した真の設定周期ごとのパターン化された入浴情報データを記憶する。
【００６９】
湯張り開始時刻検出部３９は、前記浴槽注湯量パターン化データ検出部４９のデータを参照して真の設定周期の時間軸上の浴槽１２６の湯張り開始時刻を求める動作と、入浴情報パターン化データ記憶部４７のデータを参照して真の設定周期の時間軸上の浴槽１２６の湯張り開始時刻を求める動作の少なくとも一方を行う。
【００７０】
なお、湯張り開始時刻検出部３９が入浴情報パターン化データ記憶部４７のデータを参照する場合、利用者の入浴開始推定時刻に対応させて浴槽１２６の湯張り開始時刻を求めるものであり、複数の人が入浴する場合、最初に入浴する人の入浴開始時刻を推定し、この入浴開始推定時刻に対応させて、浴槽１２６の湯張り開始時刻を求める。
【００７１】
また、湯張り開始時刻検出部３９が浴槽注湯量パターン化データ検出部４９のデータを参照して湯張り開始時刻を求める動作と、入浴情報パターン化データ記憶部４７のデータを参照して湯張り開始時刻を求める動作の両方を行った場合、これらの動作により求められる湯張り開始時刻は、通常、ほぼ同じ時刻になる。ただし、仮に、両方の動作により求めた湯張り開始時刻にずれが生じた場合は、例えばその間の時刻を湯張り開始時刻として決定し、この情報を、自動湯張り実行部４０に加える。
【００７２】
自動湯張り実行部４０は、時計機構４１から得られる時刻情報を取り込んで前記湯張り開始時刻検出部３９により求めた湯張り開始時刻に給湯熱源から自動的に給湯して浴槽１２６の湯張りを行う。本実施形態例は、コジェネレーション給湯熱源装置３と補助給湯熱源装置４とを備えた複合システムであり、選択制御部３６により選択した給湯熱源から浴槽１２６への給湯を行う。
【００７３】
なお、自動湯張り実行部４０は、浴槽１２６の湯張りを行うときに湯張り動作実行情報を報知するようにしてもよい。この場合、例えば自動湯張り動作をキャンセルする自動湯張りキャンセル操作部を設け、自動湯張り実行部４０による自動湯張り実行情報の報知時に前記自動湯張りキャンセル操作部の操作が行われたときには、浴槽注湯量パターン化データ検出部４９のデータや入浴情報パターン化データ記憶部４７のデータを参照して求めた湯張り開始時刻の自動湯張り動作を行わないようにすることもできる。
【００７４】
また、自動湯張り動作を承認して実行させる自動湯張り実行操作部を設け、自動湯張り実行部４０による自動湯張り実行情報の報知時に、前記自動湯張り実行操作部の操作が行われたときにのみ、浴槽注湯量パターン化データ検出部４９のデータや入浴情報パターン化データ記憶部のデータ４７を参照して求めた湯張り開始時刻に自動湯張り動作を行うようにすることもできる。
【００７５】
本実施形態例は以上のように構成されており、選択制御部３６により選択された給湯熱源からの給湯や湯張りが行われるとともに、真の設定周期設定部４３によって設定された真の設定周期ごとのパターン化された給湯使用量のデータを給湯使用量パターン化データ記憶部４８により記憶したり、真の設定周期ごとのパターン化された入浴情報データを入浴情報パターン化データ記憶部４７により記憶したりするので、利用者に対応した適切な給湯使用量のデータや入浴情報のデータを記憶でき、この記憶データを利用した最適な給湯運転や湯張運転等を行うことができる。
【００７６】
例えば、本実施形態例は、給湯使用量パターン化データ記憶部３７が記憶した給湯使用量のデータから真の設定周期ごとの浴槽１２６への注湯量のパターン化データを求めたり、入浴情報パターン化データ記憶部４７が記憶した入浴情報のデータを参照したりして、湯張り開始時刻検出部３９が真の設定周期の時間軸上の浴槽１２６の湯張り開始時刻を求め、求めた湯張り開始時刻に、自動湯張り実行部４０が給湯熱源から自動的に給湯して浴槽１２６の湯張りを行うので、利用者に適した時刻に自動的に浴槽１２６の湯張りを行うことができ、非常に利用しやすい給湯装置を実現できる。
【００７７】
さらに、本実施形態例は、コジェネレーション給湯熱源装置３を有する複合的な給湯装置であるので、コジェネレーション給湯熱源装置３を給湯熱源とする給湯動作を行うことで省エネルギー化が可能な給湯装置を実現できる。
【００７８】
また、本実施形態例は、コジェネレーション給湯熱源装置３の貯湯槽２から送水される給湯の通路が補助給湯熱源装置４の給水導入口に連通され、貯湯槽２の湯を熱源として給湯を行うときは、貯湯槽２の湯を非加熱駆動状態の補助給湯熱源装置４を経由して給湯先へ給湯するので、コジェネレーション給湯熱源装置３の貯湯槽２から送水される給湯の通路と補助給湯熱源装置４の給水導入口とを連通させることによりシステム構成を簡単にでき、効率的に給湯を行うことができる。
【００７９】
なお、本発明は上記実施形態例に限定されることはなく、様々な態様を採り得る。例えば、上記実施形態例では、給湯使用量パターン化データ記憶部４８の記憶データを利用したり、入浴情報パターン化データ記憶部４７の記憶データを参照したりして、湯張り開始時刻を求め、自動湯張りを行うように構成したが、給湯使用量パターン化データ記憶部４８の記憶データの利用や、入浴情報パターン化データ記憶部４７の記憶データの利用によって、自動湯張り以外の制御を行うようにしてもよい。
【００８０】
例えば、入浴情報パターン化データ記憶部４７の記憶データを参照し、利用者の浴槽利用開始時刻と浴槽利用終了時刻を求め、この求めたデータを利用した保温動作を自動的に行うような構成としてもよい。なお、この保温動作は、例えば浴槽１２６内の湯を追い焚きする追い焚き機構によって浴槽湯水を追い焚きして浴槽湯温を風呂設定温度またはその近傍温度に保温するものである。
【００８１】
この保温動作の実行部を上記実施形態例の給湯装置に設けた場合、保温動作の実行部は、循環ポンプ９４を駆動して浴槽湯水を循環させると共に、ガス開閉弁８４，８５の少なくとも一つを開き、ガス比例弁８７の開弁量を調節してバーナ７に供給されるガス量を調節し、燃焼ファン８の風量調節を行い、追い焚き熱交換器２５を通って加熱される湯をバーナ７によって追い焚きすることにより、浴槽湯水温検出センサ１２７の検出温度を参照しながら前記保温を行う。
【００８２】
また、保温動作の実行部の動作は、時計機構４１から得られる時刻情報を参照しながら、例えば浴槽１２６への湯張り終了時から利用者の浴槽利用終了時刻まで自動的に保温動作を行うようにすることができる。なお、保温動作は、このような動作に限定されるものではなく、適宜設定されるものである。
【００８３】
さらに、上記実施形態例では、仮の設定周期を１日としたが、仮の設定周期は１日とは限らず１週間としてもよく、１日×１以上の整数に適宜設定されるものであり、また、この仮の設定周期ごとの時間軸上の給湯使用量や入浴情報の蓄積データに基づいて、真の設定周期も、１日以上の適宜の周期に設定されるものである。
【００８４】
さらに、上記実施形態例では、浴槽使用量データ蓄積部３８と入浴情報データ蓄積部３７の両方を設けたが、これらのうち、いずれか一方を設けてもよい。浴槽使用量データ蓄積部３８のみを設けた場合、真の設定周期設定部４３により給湯使用量の真の設定周期を設定して、真の設定周期ごとの給湯使用量パターン化データを記憶し、入浴情報データ蓄積部３７のみを設けた場合、真の設定周期設定部４３により入浴情報の真の設定周期を設定して、真の設定周期ごとの入浴情報パターン化データを記憶することになる。
【００８５】
さらに、上記実施形態例では、コジェネレーション給湯熱源装置３の発電装置１は燃料電池としたが、発電装置１はエンジンにより形成してもよく、コジェネレーション給湯熱源装置３を有する構成の給湯装置とする場合に適用される発電装置１は、その排熱を利用して貯湯槽２に湯を蓄積できるならばよく、発電装置１の燃料や構成は特に限定されるものでなく、適宜設定されるものである。
【００８６】
また、上記実施形態例では、コジェネレーション給湯熱源装置３の貯湯槽２と発電装置１との間には発電装置１の排熱を利用して貯湯槽２内の水を加熱して湯にする手段を配備したが、図５（ａ）、（ｂ）に示すように、発電装置１の排熱吸収流体の熱を利用して貯湯槽２内の水を加熱して湯にする手段を配備して、該手段によって形成された湯を貯湯槽２に蓄積してもよい。
【００８７】
図５（ａ）に示す構成は、発電装置１の排熱吸収流体を循環させる循環管路６６を貯湯槽２内に通し、排熱吸収流体と貯湯槽２内の水との間で熱交換を行って、貯湯槽２内の水を湯にする。また、このとき、排熱吸収流体は、その熱を貯湯槽２内の水に与えることにより、冷却され、排熱吸収流体は冷却流体となって発電装置１に送られるものである。
【００８８】
また、図５（ｂ）に示す構成は、貯湯槽２と発電装置１との間に、例えば銅板等によって形成した熱交換部材６７を設け、発電装置１の排熱吸収流体を循環させる循環管路６６を熱交換部材６７に通し、また、熱交換部材６７には、貯湯槽２内の水を循環させる循環管路６８を設け、熱交換部材６７を介し、循環管路６６を通る排熱吸収流体と循環管路６８を通る水との間で熱交換させる。つまり、熱交換部材６７を介し、排熱吸収流体の熱を、循環管路６８を通る貯湯槽２内の水に与えて貯湯槽２内の水を湯にし、このとき、排熱吸収流体を冷却して冷却流体とするものである。
【００８９】
また、上記実施形態例では、給水路１１を、湯水混合ユニット１０を介して補助給湯熱源装置４の給水導入通路１８に接続したが、図６（ａ）に示すように、給水路１１を、弁６９を介して給湯通路２６側に接続してもよいし、図６（ｂ）に示すように、給水路１１を、弁６９を介して、給水導入通路１８と給湯通路２６の両方に接続してもよい。
【００９０】
さらに、上記実施形態例では、コジェネレーション給湯熱源装置３の貯湯槽２の給湯路１２を、湯水混合ユニット１０と接続通路４５を介して補助給湯熱源装置４の給水導入口に連通したが、本発明は、コジェネレーション給湯熱源装置３と補助給湯熱源装置４とを別個に設けて併設してもよい。
【００９１】
さらに、上記実施形態例では、給湯装置は、コジェネレーション給湯熱源装置３と補助給湯熱源装置４とを有する複合的な給湯装置としたが、コジェネレーション給湯熱源装置３を設けずに、ガスや石油等の燃料によって通水の水を加熱して作成した湯を、浴槽１２６を含む１つ以上の給湯先に給湯する給湯装置としてもよい。
【図面の簡単な説明】
【００９２】
【図１】本発明に係る学習機能付き給湯装置の一実施形態例の制御構成を示す要部構成図である。
【図２】本発明に係る学習機能付き給湯装置の一実施形態例のシステム構成を模式的に示す要部構成図である。
【図３】本発明に係る学習機能付き給湯装置の給湯使用量データ蓄積部に蓄積されるデータ例を模式的に示すグラフである。
【図４】図３（ｂ）のデータから求められる真の設定周期ごとのパターン化された給湯使用量のデータ例を模式的に示すグラフである。
【図５】本発明に係る学習機能付き給湯装置の他の実施形態例に適用されるコジェネレーション給湯熱源装置の構成を模式的に示す要部説明図である。
【図６】本発明に係る学習機能付き給湯装置の他の実施形態例に適用される補助給湯熱源装置とコジェネレーション給湯熱源装置の給水路との接続構成を模式的に示す要部説明図である。
【図７】コジェネレーション給湯熱源装置の構成例とその動作を模式的に示す説明図である。
【符号の説明】
【００９３】
１  発電装置
２  貯湯槽
３  コジェネレーション給湯熱源装置
４  補助給湯熱源装置
５  給湯器
３５  蓄熱量検出部
３６  選択制御部
３７  入浴情報データ蓄積部
３８  給湯使用量データ蓄積部
３９  湯張り開始時刻検出部
４０  自動湯張り実行部
４１  時計機構
４２  燃焼制御部
４３  真の設定周期設定部
４４  制御装置
４７  入浴情報パターン化データ記憶部
４８  給湯使用量パターン化データ記憶部
４９  浴槽注湯量パターン化データ検出部
１０１〜１１１  貯湯槽内湯水温検出センサ
１２５  水位センサ
１２６  浴槽
【図１】
2005351547.tif 000003
【図２】
2005351547.tif 000004
【図３】
2005351547.tif 000005
【図４】
2005351547.tif 000006
【図５】
2005351547.tif 000007
【図６】
2005351547.tif 000008
【図７】
2005351547.tif 000009